(57)【要約】【課題】建物内の機器の運転を管理するタイムスケジュールの設定作業を短縮することのできる管理装置を提供する。【解決手段】対象機器の運転時間を少なくとも１週間単位で定義するマスタスケジュールを、識別のためのマスタスケジュール番号と対応付けて、少なくとも２つ以上記憶するマスタスケジュール記憶手段２と、日付毎にマスタスケジュール番号を対応付けた運用カレンダを記憶する運用カレンダ記憶手段３とを参照して、実行スケジュール作成手段７が、対象機器に展開するスケジュールとなる実行スケジュールを作成する。【選択図】図１
2012133635.tif 000002
【特許請求の範囲】
【請求項１】
対象機器の運転を管理する管理装置において、
前記対象機器の運転時間を少なくとも１週間単位で定義するマスタスケジュールを、識別のためのマスタスケジュール番号と対応付けて、少なくとも２つ以上記憶するマスタスケジュール記憶手段と、
日付毎に前記マスタスケジュール番号を対応付けた運用カレンダを記憶する運用カレンダ記憶手段と、
前記マスタスケジュールおよび前記運用カレンダに基づいて、前記対象機器に展開するスケジュールとなる実行スケジュールを作成する実行スケジュール作成手段とを備えることを特徴とする管理装置。
【請求項２】
前記運用カレンダ記憶手段は、運用カレンダが管理対象とする対象機器を対応付けて記憶することを特徴とする請求項１記載の管理装置。
【請求項３】
前記マスタスケジュール記憶手段は、少なくとも２つ以上のマスタスケジュールが管理対象とする対象機器を対応付けて記憶することを特徴とする請求項１記載の管理装置。
【発明の詳細な説明】
【技術分野】
【０００１】
この発明は、建物内の設備機器の運転をスケジュールに従って管理する管理装置に関するものである。
【背景技術】
【０００２】
建物内の空調機器などの運転を管理する中央監視装置は、予め設定されたタイムスケジュールに従い、各機器の運転および停止を管理している。このタイムスケジュールの設定は、テナントの使用状況およびイベント状況などに応じてオペレータが行っており、頻繁に変更が必要な場合には設定変更作業に手間がかかり、設定誤りも起こり得る。
【０００３】
そこで、例えば特許文献１に係るビル管理装置では、管理対象の機器に対する一連の制御内容が複数種類設定可能であり且つそれらの制御内容が動作パターンとして区別され、日毎に日付と動作パターンとを関連付けたカレンダデータと、動作パターンの一連の制御内容を規定する動作設定データとを予め記憶しておく。そして、スケジュール制御部が、カレンダデータから実行日の日付に対応した動作パターンを取り出し、その動作パターンの制御内容を動作設定データを参照して取得し、その取得した制御内容に従い各機器の動作を制御する。本構成により、カレンダデータの日毎に所望の動作パターンを設定できる。
【先行技術文献】
【特許文献】
【０００４】
【特許文献１】特開２００２−２８７８０５号公報
【発明の概要】
【発明が解決しようとする課題】
【０００５】
従来の管理装置は以上のように構成されているので、予め機器グループ毎に所望の動作パターンを動作設定データとして登録しておく必要がある。そのため、日毎に動作パターンが異なる場合には、カレンダの途中で動作パターンを変更する都度、動作設定データの登録をやり直さなければならない。従って、設定作業に手間がかかるという課題があった。
【０００６】
この発明は、上記のような課題を解決するためになされたもので、建物内の機器の運転を管理するタイムスケジュールの設定作業を短縮することのできる管理装置を提供することを目的とする。
【課題を解決するための手段】
【０００７】
この発明の請求項１に係る管理装置は、対象機器の運転時間を少なくとも１週間単位で定義するマスタスケジュールを、識別のためのマスタスケジュール番号と対応付けて、少なくとも２つ以上記憶するマスタスケジュール記憶手段と、日付毎にマスタスケジュール番号を対応付けた運用カレンダを記憶する運用カレンダ記憶手段と、マスタスケジュールおよび運用カレンダに基づいて、対象機器に展開するスケジュールとなる実行スケジュールを作成する実行スケジュール作成手段とを備えるものである。
【０００８】
この発明の請求項２に係る管理装置は、運用カレンダ記憶手段に、運用カレンダが管理対象とする対象機器を対応付けて記憶するようにしたものである。
【０００９】
この発明の請求項３に係る管理装置は、マスタスケジュール記憶手段に、少なくとも２つ以上のマスタスケジュールが管理対象とする対象機器を対応付けて記憶するようにしたものである。
【発明の効果】
【００１０】
この発明によれば、運用カレンダの日付毎に対応するマスタスケジュールに基づいて、対象機器の実行スケジュールを作成するようにしたので、切り替わり時期のたびにマスタスケジュールを変更する必要がなくなり、スケジュールの設定作業を短縮することができる。
【図面の簡単な説明】
【００１１】
【図１】この発明の実施の形態１に係る管理装置の構成を示すブロック図である。
【図２】実施の形態１のマスタスケジュール記憶手段が記憶しているマスタスケジュールの例である。
【図３】実施の形態１の運用カレンダ記憶手段が記憶している運用カレンダと機器群の例である。
【図４】実施の形態１に係る管理装置の動作を示すフローチャートである。
【図５】この発明の実施の形態２に係る管理装置の、マスタスケジュール記憶手段および運用カレンダ記憶手段の内部構成を示すブロック図である。
【図６】実施の形態２に係る管理装置の変形例を示し、マスタスケジュール記憶手段、運用カレンダ記憶手段および対象機器記憶手段の内部構成を示すブロック図である。
【発明を実施するための形態】
【００１２】
実施の形態１．
図１に示す管理装置１は、建物内に設置されている空調機器などの運転および停止を管理するものであり、マスタスケジュールを格納するマスタスケジュール記憶手段２と、運用カレンダと制御対象機器群の情報とを格納する運用カレンダ記憶手段３と、マスタスケジュールを作成するマスタスケジュール設定手段４と、運用カレンダを生成する運用カレンダ設定手段５と、日付および時刻を計時する計時手段６と、各制御対象機器に展開するスケジュールを作成する実行スケジュール作成手段７と、各制御対象機器を制御するコントローラ１１へ実行スケジュールを送信する実行スケジュール送信手段８とを備える。
【００１３】
この管理装置１をコンピュータで構成する場合、マスタスケジュール設定手段４、運用カレンダ設定手段５、計時手段６、実行スケジュール作成手段７および実行スケジュール送信手段８の処理内容を記述しているプログラムをコンピュータのメモリに格納し、コンピュータのＣＰＵがメモリに格納されているプログラムを実行する。また、マスタスケジュール記憶手段２および運用カレンダ記憶手段３は、ＨＤＤなどの記憶装置で構成する。さらに管理装置１には、ディスプレイなどで構成される表示手段９と、キーボードおよびマウスなどで構成される入力手段１０とが接続され、管理装置１とオペレータとの間で対話的に操作可能である。なお、タッチパネルなどの表示手段９と入力手段１０が一体となった装置を用いてもよい。
【００１４】
マスタスケジュール記憶手段２は、ｎ（ｎは２以上の整数）個のマスタスケジュール＃１〜＃ｎを記憶する。
図２は、マスタスケジュール記憶手段２が保持するマスタスケジュールの例であり、２個のマスタスケジュール＃Ａ，＃Ｂを示す。マスタスケジュールは、少なくとも１週間単位で、制御対象機器の運転時間を定義したデータである。例えばマスタスケジュール＃Ａは、月曜日から日曜日までの１週間について、曜日毎に運転開始時刻および運転停止時刻が設定されている。加えて、休日についても運転開始時刻および運転停止時刻が設定されている。
【００１５】
マスタスケジュール設定手段４は、表示手段９にマスタスケジュール設定用の画面を表示させ、入力手段１０を通じてオペレータから曜日、時刻等の情報を受け付けてマスタスケジュールを作成し、マスタスケジュール記憶手段２へ書き込む。日照時間、季節、連休などに応じて運用が大きく異なる施設では、同じ平日でもスケジュールを変更する必要がある。そのような場合には、例えば夏期、冬期、中間期それぞれに対応した３個のマスタスケジュールを作成し、マスタスケジュール記憶手段２に記憶させておく。
【００１６】
運用カレンダ記憶手段３は、ｍ（ｍは１以上の整数）個の運用カレンダ＃１〜＃ｍと、各運用カレンダに対応付けられた機器群＃１〜＃ｍとを記憶する。
図３は、運用カレンダ記憶手段３が保持する運用カレンダの例であり、２０１０年７月の運用カレンダ＃Ｃを示す。運用カレンダは、日付毎にマスタスケジュール番号が設定されている。マスタスケジュール＃Ａ，＃Ｂが存在する場合に、例えば２０１０年７月１日木曜日〜２０日火曜日はマスタスケジュール＃Ａを示すマスタスケジュール番号Ａが設定され、２１日水曜日〜３１日土曜日はマスタスケジュール＃Ｂを示すマスタスケジュール番号Ｂが設定されている。また、この運用カレンダ＃Ｃに従って運用する機器群＃Ｃの情報が運用カレンダ記憶手段３に設定されている。
【００１７】
従って、運用カレンダ＃Ｃによれば機器群＃Ｃは、
７月１〜２０日の月〜木曜日（マスタスケジュール＃Ａ）は１０：００〜２１：００、
７月２１〜３０日の月〜木曜日（マスタスケジュール＃Ｂ）は９：００〜２２：００、
７月２，９，１６日の金曜日（マスタスケジュール＃Ａ）は１０：００〜２２：００、
７月２３，３０日の金曜日（マスタスケジュール＃Ｂ）は８：３０〜２２：００、
７月３，１０，１７日の土曜日（マスタスケジュール＃Ａ）は９：００〜２２：００、
７月２４，３１日の土曜日（マスタスケジュール＃Ｂ）は８：３０〜２２：００、
７月４，１１，１８日の日曜日（マスタスケジュール＃Ａ）は９：００〜２２：００、
７月２５日の日曜日（マスタスケジュール＃Ｂ）は８：００〜２２：００、
７月１９日の祝日（マスタスケジュール＃Ａ）は９：００〜２２：００
に動作することとなる。
【００１８】
運用カレンダ設定手段５は、表示手段９に運用カレンダ設定用の画面を表示させ、入力手段１０を通じてオペレータから日付毎のマスタスケジュール番号を受け付けて運用カレンダを作成し、さらにこの運用カレンダに従って運用する制御対象機器群の情報を受け付けて運用カレンダにリンクさせ、運用カレンダ記憶手段３へ書き込む。
【００１９】
次に、図４に示すフローチャートを用いて、管理装置１の運用動作を説明する。
この管理装置１のマスタスケジュール記憶手段２および運用カレンダ記憶手段３にはマスタスケジュールおよび運用カレンダが格納されているものとする。また、管理装置１は図４に示す一連の動作を日毎に行うものとする。
【００２０】
計時手段６は日時をカウントし、所定時刻になると（ステップＳＴ１“ＹＥＳ”）、実行スケジュール作成手段７へ通知する。通知を受けた実行スケジュール作成手段７は、運用カレンダ記憶手段３が記憶している運用カレンダ＃１〜＃ｍの所定日数先の日付にマスタスケジュール番号が設定されているか否か確認する（ステップＳＴ２）。
【００２１】
マスタスケジュール番号が設定されていれば（ステップＳＴ２“ＹＥＳ”）、実行スケジュール作成手段７はそのマスタスケジュール番号を読み込み（ステップＳＴ３）、その番号のマスタスケジュールがマスタスケジュール記憶手段２に記憶されているか否か確認する（ステップＳＴ４）。マスタスケジュールが記憶されていれば（ステップＳＴ４“ＹＥＳ”）、実行スケジュール作成手段７はそのマスタスケジュールを読み込み、制御対象の機器群に展開する実行スケジュールを作成する（ステップＳＴ５）。実行スケジュール作成手段７は作成した機器群毎に作成した実行スケジュールを実行スケジュール送信手段８へ出力し、実行スケジュール送信手段８から各機器群を制御するコントローラ１１へそれぞれの実行スケジュールを送信する（ステップＳＴ６）。
【００２２】
所定時刻前（ステップＳＴ１“ＮＯ”）、運用カレンダにマスタスケジュール番号の設定がない場合（ステップＳＴ２“ＮＯ”）、およびマスタスケジュール番号に対応するマスタスケジュールがない場合（ステップＳＴ４“ＮＯ”）には、ステップＳＴ１に戻る。
【００２３】
図２および図３の例において当日が７月１日木曜日の場合、所定時刻になると、実行スケジュール作成手段７は運用カレンダ＃Ｃの例えば、翌日の７月２日金曜日に設定されているマスタスケジュール＃Ａを参照して、機器群＃Ｃを１０：００〜２２：００に運転する旨のマスタスケジュールを得る。そして、実行スケジュール作成手段７は予め設定されている実行スケジュール作成のための情報に従って、機器群＃Ｃに応じた実行スケジュールを作成する。そして、実行スケジュール送信手段８は、作成した実行スケジュールをこの機器群＃Ｃを制御する各コントローラ１１へ送信する。例えば、機器群＃Ｃが空調機器であれば、コントローラ１１は受信した実行スケジュールに従い、７月２日の１０：００になると空調機器を起動制御する。
この例では７月２１日を境にマスタスケジュールが大きく変更するが、変更前後のマスタスケジュールを予め設定してあるので、切り替え日にオペレータが大幅の変更作業を行う必要がない。
【００２４】
以上より、実施の形態１に係る管理装置１は、対象機器の運転時間を少なくとも１週間単位で定義するマスタスケジュールを、識別のためのマスタスケジュール番号と対応付けて、少なくとも２つ以上記憶するマスタスケジュール記憶手段２と、日付毎にマスタスケジュール番号を対応付けた運用カレンダを記憶する運用カレンダ記憶手段３と、マスタスケジュールおよび運用カレンダに基づいて、対象機器に展開するスケジュールとなる実行スケジュールを作成する実行スケジュール作成手段７と、画面表示を行う表示手段９と、表示手段９に設定用画面を表示させ、入力手段１０からの入力に従ってマスタスケジュールを作成するマスタスケジュール設定手段４と、表示手段９に設定用画面を表示させ、入力手段１０からの入力に従って運用カレンダにマスタスケジュール番号を設定する運用カレンダ設定手段５とを備えるように構成した。このため、日照時間、季節、連休などで運用が大きく異なり、同じ平日でもスケジュールを変更する必要がある施設について、切り替わり時期のたびにマスタスケジュールを変更する作業が必要ないので、スケジュールの設定作業を短縮することができる。
【００２５】
また、実施の形態１によれば、運用カレンダ記憶手段３は、運用カレンダが管理対象とする機器群を対応付けて記憶するように構成したので、機器群毎に運用カレンダを作成してマスタスケジュールを設定できる。このため、切り替わり時期のたびにマスタスケジュールを変更する必要なしに、柔軟なスケジュール設定が可能となる。
【００２６】
実施の形態２．
上記実施の形態１では、運用カレンダに機器群を対応つけて記憶する構成にしたが、これに限定されるものではなく、例えばマスタスケジュール記憶手段２において、少なくとも２以上のマスタスケジュール群が管理対象とする機器群を対応付けて記憶するように構成してもよい。
【００２７】
図５は、この発明の実施の形態２に係る管理装置１について、図１の管理装置１から構成を変更したマスタスケジュール記憶手段２および運用カレンダ記憶手段３を抜粋して示す。管理装置１のその他の構成は図１に示す管理装置１と同様のため、図５では図示を省略している。
図５に示すように、マスタスケジュール記憶手段２が、ｘ（ｘは２以上の整数）個のマスタスケジュール群＃１−ａ〜＃ｘ−ａと、各マスタスケジュール群に対応付けられた機器群＃ａおよび運用カレンダ番号＃ａとを記憶する。この運用カレンダ番号＃ａは、運用カレンダ記憶手段３が保持する運用カレンダ＃１〜＃ｍのいずれかを指定する番号である。さらにマスタスケジュール記憶手段２は、別の機器群＃ｂ〜＃ｙについても、それぞれ、マスタスケジュール群（＃１−ｂ〜＃ｘ−ｂ）〜（＃１−ｙ〜＃ｘ−ｙ）および運用カレンダ番号＃ｂ〜＃ｙを対応付けて記憶している。
【００２８】
このように、機器群毎にマスタスケジュールを作成して運用カレンダを設定する構成とした場合にも、上記実施の形態１と同様に、切り替わり時期のたびにマスタスケジュールを変更する必要なしに、柔軟なスケジュール設定が可能となる。
【００２９】
また、図１に示すように運用カレンダに機器群を対応付けて記憶したり、図５に示すようにマスタスケジュールに機器群を対応付けて記憶したりするのではなく、機器群の情報を記憶する対象機器記憶手段を管理装置１に新たに追加して、マスタスケジュール記憶手段２または運用カレンダ記憶手段３には単に機器群を識別する番号のみを記憶する構成にしてもよい。
【００３０】
図６は、実施の形態２に係る管理装置１の変形例であり、マスタスケジュール記憶手段２および運用カレンダ記憶手段３を抜粋して示す共に、新たに追加した対象機器記憶手段１２を示す。管理装置１のその他の構成は図１に示す管理装置１と同様のため、図６では図示を省略している。
図６に示すように、対象機器記憶手段１２には機器群＃１〜＃ｙ（ｙは１以上の整数）を記憶する。そして、マスタスケジュール記憶手段２が、ｎ（ｎは２以上の整数）個のマスタスケジュール＃１〜＃ｎを記憶している。運用カレンダ記憶手段３は、運用カレンダ＃１〜＃ｍ（ｍは１以上の整数）それぞれに、対象機器記憶手段１２に記憶されている機器群を指定する機器群番号＃１〜＃ｍを対応つけて記憶する。実行スケジュール作成手段７は、運用カレンダ記憶手段３の運用カレンダに従ってマスタスケジュール記憶手段２からマスタスケジュールを取得すると共に、その運用カレンダに対応付けられている機器群番号の機器群の情報を対象機器記憶手段１２から取得して、実行スケジュールを作成する。
あるいは、図示は省略するが、機器群番号を、運用カレンダ記憶手段３ではなくマスタスケジュール記憶手段２のマスタスケジュールに対応付けて記憶するようにしてもよい。
このような構成の場合にも、上記実施の形態１と同様に、切り替わりの時期のたびにマスタスケジュールを変更する必要なしに、柔軟なスケジュール設定が可能である。
【００３１】
なお、オフィスビルなどのように定時間帯が年間として定まっておりマスタスケジュールを頻繁に変更する必要のない施設であっても、管理装置１を適用可能なことは言うまでもない。また、本発明の範囲内において、実施の形態を適宜、変形および省略してもよい。
【符号の説明】
【００３２】
１  管理装置
２  マスタスケジュール記憶手段
３  運用カレンダ記憶手段
４  マスタスケジュール設定手段
５  運用カレンダ設定手段
６  計時手段
７  実行スケジュール作成手段
８  実行スケジュール送信手段
９  表示手段
１０  入力手段
１１  コントローラ
１２  対象機器記憶手段
【図１】
2012133635.tif 000003
【図２】
2012133635.tif 000004
【図３】
2012133635.tif 000005
【図４】
2012133635.tif 000006
【図５】
2012133635.tif 000007
【図６】
2012133635.tif 000008